(57)【要約】【課題】通常の警報音に対して手馴れた侵入者に対しても威嚇効果の期待できる警備システムを提供する。【解決手段】警備対象領域内に侵入者Ｉを検知した際に、音声によって警報ｗを発する警報器３、５を備えた警備システム１であって、音声によった警報ｗの発報時として、時間経過に伴って発報する複数の発報時ｔ１〜ｔ４が設定されており、発報時に発報される音声に、侵入者に対して心理的な圧迫感を与える警報文Ｘ１〜Ｘ４が含まれ、異なる発報時ｔ１〜ｔ４の警報文Ｘ１〜Ｘ４の内容が異ならせてある。【選択図】図２
2014178760.tif 000002
【特許請求の範囲】
【請求項１】
警備対象領域内に侵入者を検知した際に、音声によって警報を発する警報器を備えた警備システムであって、
前記音声によった警報の発報時として、時間経過に伴って発報する複数の発報時が設定されており、
前記発報時に発報される音声に、前記侵入者に対して心理的な圧迫感を与える警報文が含まれ、
異なる発報時の前記警報文の内容が異ならせてある警備システム。
【請求項２】
時間経過において遅い側で発報する前記警報文の内容が、早い側で発報する前記警報文の内容に対して、前記侵入者に対して与える心理的な圧迫感が強い内容とされている請求項１記載の警備システム。
【請求項３】
前記警報文の内容として、監視センターへの通報、侵入者の動きの捕捉、警備員の行動のうち、何れか二つ以上が含まれている請求項１又は２記載の警備システム。
【請求項４】
前記警報文の内容に、侵入者の行動が監視され警備員が前記警備対象領域内に来る旨を時系列に追って知らせる内容を含む請求項１〜３の何れか一項記載の警備システム。
【請求項５】
前記警報器が、前記警備対象領域内に警備員が駆けつけた際、駆けつけた旨を音声で報知するように構成された請求項１〜４の何れか一項記載の警備システム。
【発明の詳細な説明】
【技術分野】
【０００１】
本発明は、警備対象領域内に侵入者を検知した際に、音声によって警報を発する警報器を備えた警備システムに関する。
【背景技術】
【０００２】
いわゆるホームセキュリティサービスに用いられる警備システムにおいては、通常、監視エリア内に侵入者が検知された際に、警報音や音声などによって侵入者を威嚇するように構成されている。また、侵入者が現場に残留している場合に、監視エリアに駆けつけた警備員や当該エリアの住人が侵入者と出くわすと危険であるため、検知後も侵入者を威嚇し続ける必要がある。威嚇方法としては、例えば、特許文献１に示すように、１度警報を鳴らした後、時間をおいて複数の警報を鳴らすといったように、２段階に警報を鳴らす方法がある。
【先行技術文献】
【特許文献】
【０００３】
【特許文献１】特開２００３−２２８７８３号公報
【発明の概要】
【発明が解決しようとする課題】
【０００４】
しかしながら、上述のように、異常を検知してから同じ様な警報音を鳴らし続ける方法では、手慣れた侵入者などの場合には警報音を無視して窃盗などの不法行為を続行されるといったように威嚇効果が薄い場合がある。
【０００５】
本発明は上記問題点に鑑みてなされたものであり、通常の警報音に対して手馴れた侵入者に対しても威嚇効果を期待できる警備システムの提供を目的とする。
【課題を解決するための手段】
【０００６】
本発明に係る警備システムの特徴は、警備対象領域内に侵入者を検知した際に、音声によって警報を発する警報器を備えた警備システムであって、
前記音声によった警報の発報時として、時間経過に伴って発報する複数の発報時が設定されており、
前記発報時に発報される音声に、前記侵入者に対して心理的な圧迫感を与える警報文が含まれ、
異なる発報時の前記警報文の内容が異ならせてある点にある。
【０００７】
上記特徴構成によれば、侵入者は心理的な圧迫感を受けるような警報文が耳に入るため、単に警報音が鳴る場合に比べ威嚇効果を奏することが期待できる。さらに、時間経過によって警報文の内容が異なるため、一層、心理的に圧迫感を受けることが期待される。よって、通常の警報音に対して手馴れた侵入者に対しても威嚇効果の期待できる警備システムを提供することができる。
【０００８】
さらなる特徴は、時間経過において遅い側で発報する前記警報文の内容が、早い側で発報する前記警報文の内容に対して、前記侵入者に対して与える心理的な圧迫感が強い内容とされている点にある。
【０００９】
上記特徴構成によれば、侵入者は時間経過とともに、心理的圧迫感が高まるので、集中力、注意力が散漫となることが期待できる。よって、より一層、威嚇効果の期待できる警備システムを提供することができる。
【００１０】
また、別の特徴は、前記警報文の内容として、監視センターへの通報、侵入者の動きの捕捉、警備員の行動のうち、何れか二つ以上が含まれている点にある。
【００１１】
上記特徴構成によれば、「監視センターへの通報」を警報文として含む場合、侵入が検知され、監視センターへ通報されたことが、侵入者に報知されることで、侵入者への威嚇となる。「侵入者の動きの捕捉」を警報文として含む場合、自らの動きが警備システムに捕捉されていることが侵入者に報知されるため、別の意味での侵入者への威嚇となる。さらに、「警備員の行動」を警報文として含む場合、警備員のセンターからの出発、侵入宅への到来、侵入宅での点検等の行動が、侵入者に報知されることで、さらに別の意味での侵入者への威嚇となる。
さらにこれら「監視センターへの通報」、「侵入者の動きの捕捉」、「警備員の行動」の報知をおこなうことで、侵入者が警備員の到来を予想すると推測される。よって、警備員との鉢合わせを避けるため、監視エリアから何もせずに逃げ出す可能性が高いと考えられる。よって、より一層、威嚇効果の期待できる警備システムを提供することができる。
【００１２】
さらに、別の特徴は、前記警報文の内容に、侵入者の行動が監視され警備員が前記警備対象領域内に来る旨を時系列に追って知らせる内容を含む点にある。
【００１３】
上記特徴構成によれば、侵入者が警備員の到来を予想し、監視エリアから逃げ出す可能性が高いと考えられる。また、侵入者には、実際に監視されているか、また実際に警備員が駆けつけているかの真偽を確認する術はないため、実際に駆けつけている可能性があるという心象を抱くことが期待され、より心理的な圧迫感を与えられる。すなわち、より一層、威嚇効果の期待できる警備システムを提供することができる。
【００１４】
また、別の特徴は、前記警報器が、前記警備対象領域内に警備員が駆けつけた際、駆けつけた旨を音声で報知するように構成された点にある。
【００１５】
上記特徴構成によれば、侵入者は、警備員が駆けつけたことを高い確率で知ることになるため、警備員の存在を警戒することが期待され、警備員が侵入者と鉢合わせすることを回避し易い警備システムを提供することができる。
【図面の簡単な説明】
【００１６】
【図１】本発明の実施形態に係る警備システムの概略図
【図２】本発明の実施形態に係る警備システムのフロー図
【発明を実施するための形態】
【００１７】
〔警備システムの構成〕
以下では、本願発明に係る警備システム１を、図を用いて説明する。図１に示すように、警備システム１は警備対象領域Ｒ内に侵入者Ｉを検知した際に、音声によって警報を発する警報器を備える。以下では、音声による警報を音声警報ｗと呼ぶ。図１の例では、警備対象領域Ｒを一戸建ての住宅としている。具体的には、警備システム１は、警備対象領域Ｒ内に配置された１つ以上の検知手段２と、検知手段２からの信号を受信するコントローラー３と、コントローラー３からの信号を受信する監視センター４とから構成される。
【００１８】
検知手段２は、警備対象領域Ｒにおける異常を検知可能に構成されている。本実施形態においては、少なくとも１つの検知手段２が、警備対象領域Ｒにおける異常として、警備対象領域Ｒ内への人の侵入（事実上は存在）を検知するように構成されている。このような検知手段２としては、例えば、マグネットセンサーやパッシブセンサーなどを用いることができる。また検知手段２は、警備対象領域Ｒにおける異常として、警備対象領域Ｒ内での火災やガス漏れを検知するように構成されている。検知手段２は、無線などを用いてコントローラー３と送受信可能に構成され、異常を検知した際には、その旨を示す異常検知信号ｄをコントローラー３に送信するように構成されている。
【００１９】
コントローラー３は、警備対象領域Ｒ内における異常を監視センター４に通知するように構成されている。コントローラー３は、検知手段２から異常検知信号ｄを受信すると、通信回線を介して、監視センター４に警備対象領域Ｒ内で異常が発生した旨を示す信号を送信する。
【００２０】
本実施形態においては、コントローラー３は、音声出力手段１０を備え音声警報ｗを発せられるように構成されている。コントローラー３は、異常検知信号ｄを受信すると、監視センター４に信号を送信するとともに、音声出力手段１０により音声警報ｗを発するように構成されている。
【００２１】
また、警備対象領域Ｒ内に、図１に示すように音声警報ｗを発せられる音声出力警報器５が設けられている場合には、コントローラー３は、異常検知信号ｄを受信した際に、音声出力警報器５に対して、音声警報ｗを発するように信号を送信する。本実施形態においては、コントローラー３及び音声出力警報器５が、本発明における『警報器』に相当する。
【００２２】
本願発明においては、コントローラー３又は音声出力警報器５による音声警報ｗの内容及び発報タイミングに特徴を有する。以下では、音声警報ｗについて詳細に説明する。
【００２３】
〔警報文の具体的内容〕
コントローラー３及び音声出力警報器５に設定された音声警報ｗについて、図２を用いて説明する。音声警報ｗは、複数の発報タイミングが、検知手段２により侵入者Ｉが検知されたタイミングから見て時系列に沿って設定されている。図２の例では、侵入者Ｉが侵入したタイミングを侵入タイミングｔ０として、発報タイミングｔ１〜ｔ４の４つの発報タイミングが設定されている。
【００２４】
侵入タイミングｔ０において、検知手段２が侵入者Ｉの侵入を検知すると、コントローラー３に異常検知信号ｄが送信され、さらに監視センター４へ異常が発生したことが伝えられる。監視センター４において、異常が確認されると、警備対象領域Ｒに警備員が派遣される。
【００２５】
一方、警備対象領域Ｒ内においては、警備員が到着するまでの間に、コントローラー３及び音声出力警報器５が、あらかじめ設定されたタイミングで音声警報ｗを複数回発する。本実施形態においては、発報タイミングｔ１〜ｔ４の４回にわたって音声警報ｗが発報される。発報タイミングにおいて発報される音声には、侵入者Ｉに対して心理的な圧迫感を与える警報文が含まれる。また、警報文の内容は、発報タイミングごとに異ならせてある。例えば、図２の例の場合、発報タイミングｔ１〜ｔ４において発報される警報文Ｘ１〜Ｘ４は、それぞれ異なる警報文が設定されている。
【００２６】
さらに、時間経過において遅い側で発報する警報文の内容が、早い側で発報する警報文の内容に対して、侵入者Ｉに対して与える心理的な圧迫感が強い内容とされている。すなわち、侵入タイミングｔ０から時間が経過するにつれて警告文の内容が侵入者Ｉに対して心理的な圧迫感が強いものとなる。本実施形態においては、警報文の内容として、監視センター４への通報、侵入者Ｉの動きの捕捉、警備員の行動のうち、何れか２つ以上が含まれている。また、警報文の内容には、侵入者Ｉの行動が監視され警備員が警備対象領域Ｒ内に来る旨を時系列に追って知らせる内容を含む。
【００２７】
具体的には、図２の例においては、ｔ１〜ｔ４を、それぞれｔ０から０〜３分後として、
Ｘ１「監視センターへの通報が完了しました。」
Ｘ２「侵入者の動きを捕捉中です。」
Ｘ３「まもなく警備員がかけつけます。」
Ｘ４「警備員が周辺を点検中です。」
といった警報文を用いている。ここで、警報文Ｘ１〜Ｘ４は、実際の警備システム１の動作状態を示すわけではなく、あらかじめ設定された所定時間が経過したタイミングで流されるようになっている。
【００２８】
警報文Ｘ１〜Ｘ４が発報される発報タイミングｔ１〜ｔ４は、意図的に実際の警備システム１の動作（監視センター４への通報、侵入者Ｉの動きの捕捉、警備員の行動）が完了するよりも早いタイミングとなるように設定すると好適である。通常、侵入者Ｉに警報文の内容の真偽を確認する術はないため、このように設定することで、効果的に、侵入者Ｉに心理的な圧迫感を与えることができる。
【００２９】
さらに、本実施形態においては、コントローラー３及び音声出力警報器５が、警備対象領域Ｒ内に警備員が駆けつけた際、駆けつけた旨を音声Ｙで報知するように構成されている。ここで、音声Ｙとしては、例えば「警備員が警備対象領域内に入りました。」のように、侵入者Ｉに対して警備員が近くにいることを知らせる内容を用いることができる。
【００３０】
音声Ｙの発報タイミングとしては、例えば、警備員がコントローラー３と無線通信可能な携帯端末を所持し、警備対象領域Ｒに到着した際に、コントローラー３に対して音声Ｙを発報するよう指示する信号を送信すると良い。
【００３１】
〔その他の実施形態〕
（１）上記実施形態においては、警備システム１に監視センター４が含まれる場合の一例を示した。しかし、本願発明に係る警備システム１は、監視センター４を含まない構成であっても構わない。この場合には、コントローラー３が検知手段２から異常検知信号ｄを受信した際に、コントローラー３又は音声出力警報器５により音声警報ｗを発報する構成となる。このような構成であっても、侵入者Ｉがコントローラー３が監視センター４と実際に通信可能かを確認する術を持ち合わせているとは限らないため、あらかじめ設定されたタイミングで、上記実施形態における内容の音声警報ｗを発報することで、侵入者Ｉに対して威嚇効果を奏することができると考えられる。
【００３２】
（２）上記実施形態においては、コントローラー３及び音声出力警報器５は、警備対象領域Ｒ内に警備員が駆けつけた際に、音声Ｙを発報する構成としたが、音声Ｙを発報しない構成としても構わない。
【産業上の利用可能性】
【００３３】
本発明は、警備対象領域内に侵入者を検知した際に、音声によって警報を発する警報器を備えた警備システムに適応可能である。
【符号の説明】
【００３４】
１        ：警備システム
２        ：検知手段
３        ：コントローラー（警報器）
５        ：音声出力警報器（警報器）
Ｉ        ：侵入者
Ｒ        ：警備対象領域
Ｘ１〜Ｘ４：警報文
Ｙ        ：駆けつけた旨の音声
ｔ１〜ｔ４：発報タイミング（発報時）
ｗ        ：音声による警報
【図１】
2014178760.tif 000003
【図２】
2014178760.tif 000004